(57)【要約】【課題】一連のグラフ化作業を更に容易とし、人為的ミスの発生を低減する。【解決手段】ポイントリスト６１と単位リスト６２とを設ける。ポイントリスト６１にはポイントの名称とデータの単位とが対応づけられている。単位リスト６２には、各種の単位毎に、その単位の種類と、同じ種類の単位を代表するベース単位を区別する情報と、ベース単位に単位を揃えるための係数とが対応づけられている。グラフ化するポイントが指定された場合、指定されたポイントのデータの単位をポイントリスト６１から取得し、取得した単位の種類を単位リスト６２から取得し、同じ種類の単位のポイントを同軸に割り当てたグラフ構成を組み立てる。組み立てられたグラフ構成の各軸の表示単位を決定し、指定されたポイントのデータを取得し、そのグラフ構成に対してグラフ化して表示する。この際、同じ種類で異なる単位のポイントに対しては、ベース単位を用いる。【選択図】  図１
2018005591.tif 000002
【特許請求の範囲】
【請求項１】
管理対象毎にその管理対象の名称とデータの単位とを対応づけたポイントリストと、前記管理対象のデータの単位として用いられる各種の単位毎に、その単位の種類と、同じ種類の単位を代表するベース単位を区別する情報と、前記ベース単位に単位を揃えるための係数とを対応づけた単位リストと、前記各管理対象のデータとを記憶する記憶部と、
前記管理対象の中からグラフ化する管理対象として指定された管理対象のデータの単位を前記ポイントリストから取得する単位取得部と、
前記単位取得部によって取得された単位の種類を前記単位リストから取得し、同じ種類の単位の管理対象を同軸に割り当てたグラフ構成を組み立てるグラフ構成組立部と、
前記グラフ構成組立部によって組み立てられたグラフ構成の各軸の表示単位を決定する表示単位決定部と、
前記指定された管理対象のデータを前記記憶部に記憶されている各管理対象のデータの中から取得するデータ取得部と、
前記データ取得部によって取得されたデータを前記グラフ構成組立部によって組み立てられたグラフ構成に対してグラフ化して表示する表示部とを備え、
前記表示単位決定部は、
前記指定された管理対象が複数であり、その複数の管理対象の中に同じ種類で異なる単位の管理対象があった場合、前記単位リストからその管理対象の種類の単位を代表するベース単位を取得し、その取得したベース単位をその管理対象が割り当てられている軸の表示単位として決定し、
前記データ取得部は、
前記指定された管理対象が複数であり、その複数の管理対象の中に同じ種類で異なる単位の管理対象があった場合、前記単位リストからその管理対象の単位に対応する係数を取得し、この係数によって前記ベース単位に単位が揃えられたデータをその管理対象のデータとして前記記憶部に記憶されている各管理対象のデータの中から取得する
ことを特徴とするグラフ自動作成装置。
【請求項２】
請求項１に記載されたグラフ自動作成装置において、
前記管理対象のデータは、時系列の計測データである
ことを特徴とするグラフ自動作成装置。
【請求項３】
請求項１に記載されたグラフ自動作成装置において、
前記単位リストに書き込まれた係数は、前記ベース単位に単位を揃えるための換算式である
ことを特徴とするグラフ自動作成装置。
【請求項４】
請求項１に記載されたグラフ自動作成装置において、
前記グラフ構成組立部は、横軸を時間、縦軸をデータ値とするグラフ構成を組み立てる
ことを特徴とするグラフ自動作成装置。
【請求項５】
管理対象毎にその管理対象の名称とデータの単位とを対応づけたポイントリストと、前記管理対象のデータの単位として用いられる各種の単位毎に、その単位の種類と、同じ種類の単位を代表するベース単位を区別する情報と、前記ベース単位に単位を揃えるための係数とを対応づけた単位リストと、前記各管理対象のデータとをメモリに記憶させるステップと、
前記管理対象の中からグラフ化する管理対象として指定された管理対象のデータの単位を前記ポイントリストから取得する単位取得ステップと、
前記単位取得ステップによって取得された単位の種類を前記単位リストから取得し、同じ種類の単位の管理対象を同軸に割り当てたグラフ構成を組み立てるグラフ構成組立ステップと、
前記グラフ構成組立ステップによって組み立てられたグラフ構成の各軸の表示単位を決定する表示単位決定ステップと、
前記指定された管理対象のデータを前記メモリに記憶されている各管理対象のデータの中から取得するデータ取得ステップと、
前記データ取得ステップによって取得されたデータを前記グラフ構成組立ステップによって組み立てられたグラフ構成に対してグラフ化して表示する表示ステップとを備え、
前記表示単位決定ステップは、
前記指定された管理対象が複数であり、その複数の管理対象の中に同じ種類で異なる単位の管理対象があった場合、前記単位リストからその管理対象の種類の単位を代表するベース単位を取得し、その取得したベース単位をその管理対象が割り当てられている軸の表示単位として決定し、
前記データ取得ステップは、
前記指定された管理対象が複数であり、その複数の管理対象の中に同じ種類で異なる単位の管理対象があった場合、前記単位リストからその管理対象の単位に対応する係数を取得し、この係数によって前記ベース単位に単位が揃えられたデータをその管理対象のデータとして前記メモリに記憶されている各管理対象のデータの中から取得する
ことを特徴とするグラフ自動作成方法。
【発明の詳細な説明】
【技術分野】
【０００１】
本発明は、電力量や温度など管理対象のデータのグラフを自動的に作成するグラフ自動作成装置および方法に関する。
【背景技術】
【０００２】
従来より、ビルの制御システムなどでは、電力量や温度などの所望の管理対象のデータ（時系列の計測データ）をグラフ化して表示するようにしている（例えば、特許文献１参照）。この場合、システム内の各所に管理対象が定められ、この管理対象はポイントとも呼ばれる。
【０００３】
このようなシステムにおいて、所望のポイントのデータのグラフ化作業は、以下のような手順に沿って行われる。
【０００４】
（１）グラフ形式の選択
（２）ポイントの選択
（３）ポイントごとの係数の設定（単位の換算など）
（４）ポイントごとの軸の割り当ての設定（Ｙ軸左、Ｙ軸右、など）
（５）軸の単位の設定
（６）グラフ化
【先行技術文献】
【特許文献】
【０００５】
【特許文献１】特開２０１５−１３０１３１号公報
【発明の概要】
【発明が解決しようとする課題】
【０００６】
しかしながら、従来のグラフ化作業では、設定の多くを人が手作業で行っており、期待するグラフを作成するまでに多くのステップを必要としていた。
【０００７】
例えば、「Ｗｈ」のポイントＡ、「ｋＷｈ」のポイントＢ、「℃」のポイントＣでグラフ表示を行おうとすると、ＡとＢを同じＹ軸に割り当て、ＢをＡと同じ単位にするため１０００倍する等、単純な作業にはならず、人為的ミスも発生し易い。
【０００８】
なお、特許文献１には、計測データと単位とを関連付けて保存することで、計測データの単位を途中で変更した場合などでも、単位情報を元に換算すればグラフ表示し易くなる、という技術が示されている。しかし、この技術は、例えば複数のポイントのデータを１つの時系列グラフにするというような場合、一部の作業を容易に行えるのみで、一連のグラフ化作業を容易に行えるものではない。
【０００９】
例えば、ポイントＡのデータ（Ｗｈ），ポイントＢのデータ（ｋＷｈ），ポイントＣのデータ（℃）の３つのポイントのデータをグラフ表示する場合、グラフ作成の手順は以下のステップに沿って行われる。
【００１０】
（０）表示したいポイントを（人が）指定する。
（１）ポイントＡとポイントＢのデータを「電力の単位」、ポイントＣのデータを「気温の単位」と（人が）判断する。
（２）ポイントＡとＢの軸をＹ軸左に、ポイントＣの軸をＹ軸右に（人が）決める
（３）Ｙ軸左の単位を「Ｗｈ」とし、Ｙ軸右の単位を「℃」と（人が）決める。
（４）ポイントＡのデータを１倍したデータと、ポイントＢのデータを１０００倍したデータと、ポイントＣのデータを１倍したデータを取得する。
（５）ポイントＡ，Ｂ，Ｃのデータをグラフ上に表示する。
【００１１】
特許文献１に示された技術は、上記の（４）について容易にすることができるのみで、（１），(２)，（３）についての作業については人が行わなければならない。
【００１２】
本発明は、このような課題を解決するためになされたもので、その目的とするところは、一連のグラフ化作業を更に容易とし、人為的ミスの発生を低減することが可能なグラフ自動作成装置および方法を提供することにある。
【課題を解決するための手段】
【００１３】
このような目的を達成するために本発明は、管理対象毎にその管理対象の名称とデータの単位とを対応づけたポイントリスト（６１）と、管理対象のデータの単位として用いられる各種の単位毎に、その単位の種類と、同じ種類の単位を代表するベース単位を区別する情報と、ベース単位に単位を揃えるための係数とを対応づけた単位リスト（６２）と、各管理対象のデータ（６３）とを記憶する記憶部（６）と、管理対象の中からグラフ化する管理対象として指定された管理対象のデータの単位をポイントリスト（６１）から取得する単位取得部（１）と、単位取得部（１）によって取得された単位の種類を単位リスト（６２）から取得し、同じ種類の単位の管理対象を同軸に割り当てたグラフ構成を組み立てるグラフ構成組立部（２）と、グラフ構成組立部（２）によって組み立てられたグラフ構成の各軸の表示単位を決定する表示単位決定部（３）と、指定された管理対象のデータを記憶部（６）に記憶されている各管理対象のデータの中から取得するデータ取得部（４）と、データ取得部（４）によって取得されたデータをグラフ構成組立部（２）によって組み立てられたグラフ構成に対してグラフ化して表示する表示部（５）とを備え、表示単位決定部（３）は、指定された管理対象が複数であり、その複数の管理対象の中に同じ種類で異なる単位の管理対象があった場合、単位リスト（６２）からその管理対象の種類の単位を代表するベース単位を取得し、その取得したベース単位をその管理対象が割り当てられている軸の表示単位として決定し、データ取得部（４）は、指定された管理対象が複数であり、その複数の管理対象の中に同じ種類で異なる単位の管理対象があった場合、単位リスト（６２）からその管理対象の単位に対応する係数を取得し、この係数によって前記ベース単位に単位が揃えられたデータをその管理対象のデータとして記憶部（６）に記憶されている各管理対象のデータの中から取得することを特徴とする。
【００１４】
本発明において、記憶部（６）には、ポイントリスト（６１）と、単位リスト（６２）と、各管理対象のデータ（６３）とが記憶されている。ポイントリスト（６１）には、管理対象毎に、その管理対象の名称とデータの単位（例えば、「Ｗｈ」，「ｋＷｈ」，「ＭＷｈ」，「℃」，「゜Ｆ」）とが対応づけられている。単位リスト（６２）には、管理対象のデータの単位として用いられる各種の単位（例えば、「Ｗｈ」，「ｋＷｈ」，「ＭＷｈ」，「℃」，「゜Ｆ」）毎に、その単位の種類（例えば、電力量，温度）と、同じ種類の単位を代表するベース単位（例えば、電力量であれば「Ｗｈ」、温度であれば「℃」）を区別する情報と、ベース単位に単位を揃えるための係数（例えば、「ｋＷｈ」であれば「Ｗｈ＊１０3」、「ＭＷｈ」であれば「Ｗｈ＊１０6」、「゜Ｆ」であれば「１.８＊℃＋３２」）とが対応づけられている。
【００１５】
本発明において、単位取得部（１）は、管理対象の中からグラフ化する管理対象が指定されると、その指定された管理対象のデータの単位をポイントリスト（６１）から取得する。グラフ構成組立部（２）は、単位取得部（１）によって取得された単位の種類を単位リスト（６２）から取得し、同じ種類の単位の管理対象を同軸に割り当てたグラフ構成を組み立てる。例えば、単位リスト（６２）から取得された単位の種類が「電力」であった場合、管理対象のデータの単位（「Ｗｈ」，「ｋＷｈ」，「ＭＷｈ」など）に拘わらず、その管理対象を同軸に割り当てたグラフ構成を組み立てる。表示単位決定部（３）は、グラフ構成組立部（２）によって組み立てられたグラフ構成の各軸の表示単位を決定し、データ取得部（４）は、指定された管理対象のデータを記憶部（６）に記憶されている各管理対象のデータの中から取得する。表示部（５）は、データ取得部（４）によって取得されたデータをグラフ構成組立部（２）によって組み立てられたグラフ構成に対してグラフ化して表示する。
【００１６】
本発明において、表示単位決定部（３）は、指定された管理対象が複数であり、その複数の管理対象の中に同じ種類で異なる単位の管理対象があった場合（例えば、Ａ：「ｋＷｈ」，Ｂ：「ＭＷｈ」）、単位リスト（６２）からその管理対象の種類の単位を代表するベース単位（例えば、「Ｗｈ」）を取得し、その取得したベース単位をその管理対象（Ａ，Ｂ）が割り当てられる軸の表示単位として決定する。また、データ取得部（４）は、指定された管理対象が複数であり、その複数の管理対象の中に同じ種類で異なる単位の管理対象があった場合（例えば、Ａ：「ｋＷｈ」，Ｂ：「ＭＷｈ」）、単位リスト（６２）からその管理対象の単位に対応する係数（例えば、「Ｗｈ＊１０3」、「Ｗｈ＊１０6」）を取得し、この係数によってベース単位（例えば、「Ｗｈ」）に単位が揃えられたデータをその管理対象（Ａ，Ｂ）のデータとして記憶部（６）に記憶されている各管理対象のデータの中から取得する。表示部（５）は、このデータ取得部（４）が取得した管理対象（Ａ，Ｂ）のデータ（管理対象（Ａ，Ｂ）のベース単位に単位が揃えられたデータ）を、グラフ構成組立部（２）によって組み立てられたグラフ構成に対してグラフ化して表示する。この場合、そのグラフ構成における管理対象（Ａ，Ｂ）が割り当てられる軸の表示単位は、表示単位決定部（３）によって決定された表示単位（ベース単位：例えば、「Ｗｈ」）とされる。
【００１７】
このようにして、本発明では、グラフ化する管理対象が指定されると、後は自動的に、記憶部（６）に記憶されているポイントリスト（６１）や単位リスト（６２）を用いて同じ種類の単位の管理対象を同軸に割り当てたグラフ構成が組み立てられ、またこのグラフ構成における各軸の表示単位が定められ、このグラフ構成に対して指定された管理対象のデータがグラフ化して表示される（同じ種類で異なる単位の管理対象があった場合にはベース単位に単位を揃えて表示される）ものとなり、一連のグラフ化作業を更に容易とし、人為的ミスの発生を低減することが可能となる。
【００１８】
なお、上記説明では、一例として、発明の構成要素に対応する図面上の構成要素を、括弧を付した参照符号によって示している。
【発明の効果】
【００１９】
以上説明したことにより、本発明によれば、管理対象の中からグラフ化する管理対象が指定されると、後は自動的に、グラフ構成が組み立てられ、またこのグラフ構成における各軸の表示単位が定められ、このグラフ構成に対して指定された管理対象のデータがグラフ化して表示される（同じ種類で異なる単位の管理対象があった場合にはベース単位に単位を揃えて表示される）ものとなり、一連のグラフ化作業を更に容易とし、人為的ミスの発生を低減することが可能となる。
【図面の簡単な説明】
【００２０】
【図１】図１は、本発明の実施の形態に係るグラフ自動作成装置の要部の構成を示すブロック図である。
【図２】図２は、このグラフ自動作成装置において用いるポイントリストの一例を示す図である。
【図３】図３は、このグラフ自動作成装置において用いる単位リストの一例を示す図である。
【図４】図４は、このグラフ自動作成装置における処理の流れを示す図である。
【図５】図５は、このグラフ自動作成装置における計測データの表示例１を示す図である。
【図６】図６は、このグラフ自動作成装置における計測データの表示例２を示す図である。
【発明を実施するための形態】
【００２１】
以下、本発明の実施の形態を図面に基づいて詳細に説明する。図１は本発明の実施の形態に係るグラフ自動作成装置１００の要部の構成を示すブロック図である。
【００２２】
このグラフ自動作成装置１００は、プロセッサや記憶装置からなるハードウェアと、これらのハードウェアと協働して各種機能を実現させるプログラムとによって実現され、その主要構成要素として単位取得部１とグラフ構成組立部２と表示単位決定部３と計測データ取得部４と表示部５と記憶部（メモリ）６とを備えている。
【００２３】
このグラフ自動作成装置１００において、記憶部６には、ポイントリスト６１と、単位リスト６２と、各ポイントのデータ６３とが記憶されている。この実施の形態において、各ポイントのデータ６３は、ビルの制御システムなどのシステム内の各所に管理対象として定められたポイントのデータであり、この例では各ポイントの所定の周期で収集された時系列の計測データとされている。
【００２４】
ポイントリスト６１は、管理対象として定められたポイント毎にそのポイントの名称とデータの単位とを対応づけたリストとされている。図２にポイントリスト６１の一例を示す。この例では、ＮＯ．１のポイントの名称を「Ａ棟消費電力」、ＮＯ．２のポイントの名称を「Ｂ棟消費電力」、ＮＯ．３のポイントの名称を「Ａ棟Ｃ会議室−温度」とし、「Ａ棟消費電力」のデータの単位として「ｋＷｈ」が、「Ｂ棟消費電力」のデータの単位として「ＭＷｈ」が、「Ａ棟Ｃ会議室−温度」のデータの単位として「℃」が対応づけられている。このポイントリスト６１中の単位は各ポイントの収集される計測データの単位（記憶部６内に記憶されている各ポイントの計測データの単位）を示している。
【００２５】
単位リスト６２は、ポイントのデータの単位として用いられる各種の単位毎に、その単位の種類と、同じ種類の単位を代表するベース単位を区別する情報と、ベース単位に単位を揃えるための係数とを対応づけたリストとされている。図３に単位リスト６２の一例を示す。
【００２６】
この例では、ＮＯ．１の単位を「Ｗｈ」とし、このＮＯ．１の単位「Ｗｈ」に対し、その単位の種類が「電力量」であり、この単位「Ｗｈ」が「電力量」の単位を代表するベース単位であり、このベース単位に単位を揃えるための係数が「１」であることが対応づけられている。また、ＮＯ．２の単位を「ｋＷｈ」とし、このＮＯ．２の単位「ｋＷｈ」に対し、その単位の種類が「電力量」であり、この単位「ｋＷｈ」は「電力量」の単位を代表するベース単位ではなく、ベース単位に単位を揃えるための係数が「Ｗｈ＊１０3」であることが対応づけられている。また、ＮＯ．３の単位を「ＭＷｈ」とし、このＮＯ．３の単位「ＭＷｈ」に対し、その単位の種類が「電力量」であり、この単位「ＭＷｈ」は「電力量」の単位を代表するベース単位ではなく、ベース単位に単位を揃えるための係数が「Ｗｈ＊１０6」であることが対応づけられている。
【００２７】
また、ＮＯ．４の単位を「℃」（セルシウス温度）とし、このＮＯ．４の単位「℃」に対し、その単位の種類が「温度」であり、この単位「℃」は「温度」の単位を代表するベース単位であり、ベース単位に単位を揃えるための係数が「１」であることが対応づけられている。また、ＮＯ．５の単位を「゜Ｆ」（ファーレンハイト温度）とし、このＮＯ．５の単位「゜Ｆ」に対し、その単位の種類が「温度」であり、この単位「゜Ｆ」は「温度」の単位を代表するベース単位ではなく、ベース単位に単位を揃えるための係数が「１.８＊℃＋３２」であることが対応づけられている。
【００２８】
なお、図３に示した単位リスト６２において、「Ｗｈ＊１０3」、「Ｗｈ＊１０6」、「１.８＊℃＋３２」を係数と呼んでいるが、この場合の係数はベース単位に単位を揃えるための換算式を示している。本発明において、単位リストで使用する係数は、このような換算式に限られるものではない。
【００２９】
また、単位リスト６２での単位の種類は、その種類に含まれる単位の上位概念の単位名称を使用している。すなわち、「Ｗｈ」，「ｋＷｈ」，「ＭＷｈ」などの単位であれば、その上位概念の単位名称である「電力量」を使い、「℃」，「゜Ｆ」などの単位であれば、その上位概念の単位名称である「温度」を使っている。また、ベース単位であるか否かについては、同一種類の単位の中でベース単位とされる単位に対し「レ」点を付すことによって区別している。
【００３０】
なお、この単位リスト６２中、ベース単位は、後述するグラフの作成前やグラフ作成後に、ユーザが指定（変更）することができるようにしてもよい。この場合、指定（変更）されたベース単位に合わせて、単位リスト６２中の係数が定められることは言うまでもない。
【００３１】
また、このグラフ自動作成装置１００において、単位取得部１は、システム内のポイントの中からグラフ化するポイントが指定されると、その指定されたポイントのデータの単位をポイントリスト６１から取得する。例えば、ポイントとして「Ａ棟消費電力」がユーザによって指定されると、単位取得部１は、ポイントリスト６１から「Ａ棟消費電力」に対応づけられている単位として「ｋＷｈ」を取得する。
【００３２】
グラフ構成組立部２は、単位取得部１によって取得された単位の種類を単位リスト６２から取得し、同じ種類の単位のポイントを同軸に割り当てたグラフ構成を組み立てる。例えば、ポイントとして「Ａ棟消費電力」，「Ｂ棟消費電力」，「Ａ棟Ｃ会議室−温度」が指定されている場合には、単位の種類が同じ「電力量」である「Ａ棟消費電力」（「ｋＷｈ」）と「Ｂ棟消費電力」（「ＭＷｈ」）をＹ軸左に割り当てたグラフ構成を決定する。この場合、「Ａ棟Ｃ会議室−温度」（℃）は、同じ種類の単位のものが他にないので、Ｙ軸右に単独で割り当てる。なお、このグラフ構成では、縦軸をデータ値を示すＹ軸とし、横軸を時間を示すＸ軸とする。
【００３３】
表示単位決定部３は、グラフ構成組立部２によって組み立てられたグラフ構成の各軸の表示単位を決定する。この表示単位決定部３の機能について、ポイントとして「Ａ棟消費電力」，「Ｂ棟消費電力」，「Ａ棟Ｃ会議室−温度」が指定されている場合を例にとって説明する。この場合、グラフ構成組立部２によって、Ｙ軸左には「Ａ棟消費電力」と「Ｂ棟消費電力」が割り当てられ、Ｙ軸右には「Ａ棟Ｃ会議室−温度」が割り当てられている。表示単位決定部３は、Ｙ軸左に同じ種類（電力量）で異なる単位（「ｋＷｈ」、「ＭＷｈ」）のポイント（「Ａ棟消費電力」，「Ｂ棟消費電力」）が割り当てられているので、単位リスト６２から「電力量」の単位を代表するベース単位として「Ｗｈ」を取得し、この取得したベース単位「Ｗｈ」を「Ａ棟消費電力」と「Ｂ棟消費電力」が割り当てられているＹ軸左の表示単位として決定する。Ｙ軸右には「Ａ棟Ｃ会議室−温度」だけが割り当てられているので、表示単位決定部３は、単位取得部１で取得された「Ａ棟Ｃ会議室−温度」の単位「℃」をそのままＹ軸右の表示単位として決定する。
【００３４】
計測データ取得部４は、ユーザによって指定されたポイントの計測データを各ポイントのデータ６３の中から取得する。この計測データ取得部４の機能について、ポイントとして「Ａ棟消費電力」，「Ｂ棟消費電力」，「Ａ棟Ｃ会議室−温度」が指定されている場合を例にとって説明する。この場合、グラフ構成組立部２によって、Ｙ軸左には「Ａ棟消費電力」と「Ｂ棟消費電力」が割り当てられ、Ｙ軸右には「Ａ棟Ｃ会議室−温度」が割り当てられている。計測データ取得部４は、Ｙ軸左に同じ種類（電力量）で異なる単位（「ｋＷｈ」、「ＭＷｈ」）のポイント（「Ａ棟消費電力」，「Ｂ棟消費電力」）が割り当てられているので、単位リスト６２から「ｋＷｈ」に対応する係数として「Ｗｈ＊１０3」を、「ＭＷｈ」に対応する係数として「Ｗｈ＊１０6」を取得し、この取得した係数によってベース単位「Ｗｈ」に単位が揃えられた「Ａ棟消費電力」と「Ｂ棟消費電力」の計測データを記憶部６に記憶されている各ポイントのデータ６３の中から取得する。
【００３５】
すなわち、「Ａ棟消費電力」（「ｋＷｈ」）については、係数（換算式）が「Ｗｈ＊１０3」（ｋＷｈ＝Ｗｈ＊１０3）であるので、「ｋＷｈ」の前に付されている数値を１０3倍してベース単位「Ｗｈ」に単位を揃えた電力量を取得する。「Ｂ棟消費電力」（「ＭＷｈ」）については、係数（換算式）が「Ｗｈ＊１０6」（ＭＷｈ＝Ｗｈ＊１０6）であるので、「ＭＷｈ」の前に付されている数値を１０6倍してベース単位「Ｗｈ」に単位を揃えた電力量を取得する。Ｙ軸右には「Ａ棟Ｃ会議室−温度」だけが割り当てられているので、計測データ取得部４は、「Ａ棟Ｃ会議室−温度」（℃）の計測データを記憶部６に記憶されている各ポイントのデータ６３の中からそのまま取得する。
【００３６】
表示部５は、計測データ取得部４によって取得された計測データをグラフ構成組立部２によって組み立てられたグラフ構成に対してグラフ化して表示する。上述した例で言えば、「Ａ棟消費電力」（「ｋＷｈ」）については１０3倍してベース単位「Ｗｈ」に単位が揃えられた計測データを、「Ｂ棟消費電力」（「ＭＷｈ」）については１０6倍してベース単位「Ｗｈ」に単位を揃えられた計測データを、「Ａ棟Ｃ会議室−温度」（℃）の計測データについてはそのままの単位の計測データを、グラフ構成組立部２によって組み立てられたグラフ構成に対してグラフ化して表示する。このグラフ構成組立部２によって組み立てられたグラフ構成に対しては、「Ａ棟消費電力」と「Ｂ棟消費電力」が割り当てられるＹ軸左の表示単位は「Ｗｈ」とされ、「Ａ棟Ｃ会議室−温度」が割り当てられるＹ軸右の表示単位は「℃」とされている。
【００３７】
図４に、このグラフ自動作成装置１００における処理の流れを示す。ユーザからグラフ化するポイントが指定されると（ステップＳ１０１）、単位取得部１はその指定されたポイントのデータの単位をポイントリスト６１から取得する（ステップＳ１０２）。この場合、ポイントリスト６１のポイントの名称の一覧を画面上に表示し、この画面上に表示されたポイントの名称の一覧から所望のポイントをユーザに選択させるというような方式が考えられる。この場合、ユーザは、１つのポイントを指定するとは限らず、複数のポイントを指定することもある。
【００３８】
単位取得部１が取得した指定されたポイントのデータの単位はグラフ構成組立部２へ送られる。グラフ構成組立部２は、単位取得部１によって取得された単位の種類を単位リスト６２から取得し（ステップＳ１０３）、すなわち単位取得部１によって取得された単位の種類を判別し、同じ種類の単位のポイントが複数あった場合、その同じ種類の単位のポイントを同軸に割り当てたグラフ構成を組み立てる（ステップＳ１０４）。
【００３９】
次に、表示単位決定部３は、グラフ構成組立部２によって組み立てられたグラフ構成の各軸の表示単位を決定する（ステップＳ１０５）。ここで、指定されたポイントが複数であり、その複数のポイントの中に同じ種類で異なる単位のポイントがあった場合、すなわち同じ種類で異なる単位のポイントが同軸に割り当てられていた場合、表示単位決定部３は、単位リスト６２からそのポイントの種類の単位を代表するベース単位を取得し、この取得したベース単位をそのポイントが割り当てられている軸の表示単位として決定する。
【００４０】
次に、計測データ取得部４は、ユーザによって指定されたポイントの計測データを記憶部６に記憶されている各ポイントのデータ６３の中から取得する（ステップＳ１０６）。ここで、指定されたポイントが複数であり、その複数のポイントの中に同じ種類で異なる単位のポイントがあった場合、すなわち同じ種類で異なる単位のポイントがグラフ構成組立部２によって組み立てられたグラフ構成の同じ軸に割り当てられていた場合、計測データ取得部４は、単位リスト６２からそのポイントの単位に対応する係数を取得し、この係数によってベース単位に単位が揃えられた計測データをそのポイントの計測データとして各ポイントのデータ６３の中から取得する。
【００４１】
最後に、表示部５は、計測データ取得部４によって取得された計測データをグラフ構成組立部２によって組み立てられたグラフ構成に対してグラフ化して表示する（ステップＳ１０７）。
【００４２】
この図４に示した処理の流れにおいて、ステップＳ１０１の後のステップＳ１０２〜１０７の処理は、グラフ自動作成装置１００が全て行う。すなわち、ユーザによってグラフ化したポイントが指定されると（ステップＳ１０１）、後は自動的に、ポイントの単位の取得（ステップＳ１０２）、ポイントの単位の種類の取得（ステップＳ１０３）、グラフ構成の組み立て（ステップＳ１０４）、表示単位の決定（ステップＳ１０５）、ポイントデータの取得（ステップＳ１０６）、グラフ化（ステップＳ１０７）という一連のグラフ化作業の処理をグラフ自動作成装置１００が行う。
【００４３】
図５に計測データの表示例１を示す。この表示例１は、ユーザが「ｋＷｈ」の単位のポイントＡ，Ｂと、「℃」の単位のポイントＣを指定した場合である。この場合、ポイントＡとＢとは同じ種類（電力量）の単位であるので、Ｙ軸左に割り当てられる。ポイントＣは、同種の単位のものが他にないので、Ｙ軸右に割り当てられる。また、ポイントＡとＢとは単位が同じ「ｋＷｈ」であるので、Ｙ軸左の表示単位はベース単位「Ｗｈ」ではなく、「ｋＷｈ」とされる。また、ポイントＡとＢとは単位が同じ「ｋＷｈ」であるので、その計測データのベース単位「Ｗｈ」への換算は行われず、取得した単位のまま計測データがグラフ化される。
【００４４】
図６に計測データの表示例２を示す。この表示例２は、ユーザが「ｋＷｈ」の単位のポイントＡと、「Ｗｈ」の単位のポイントＢを指定した場合である。この場合、ポイントＡとＢとは同じ種類（電力量）の単位であるので、Ｙ軸左に割り当てられる。また、ポイントＡとＢとは同じ種類ではあるが、単位が異なっているので、Ｙ軸左の表示単位はベース単位「Ｗｈ」とされる。また、ポイントＡの単位は「ｋＷｈ」であるので、その計測データのベース単位「Ｗｈ」への換算が行われ、このベース単位「Ｗｈ」に換算された計測データがグラフ化される。一方、ポイントＢの計測データはベース単位「Ｗｈ」であり、単位リスト６２中の係数が「１」であるので、取得した単位のまま計測データがグラフ化される。
【００４５】
このようにして、本実施の形態では、グラフ化したいポイントが指定されると、後は自動的に、記憶部６に記憶されているポイントリスト６１や単位リスト６２を用いて同じ種類の単位のポイントを同軸に割り当てたグラフ構成が組み立てられ、またこのグラフ構成における各軸の表示単位が定められ、このグラフ構成に対して指定されたポイントの計測データがグラフ化して表示される（同じ種類で異なる単位のポイントがあった場合にはベース単位に単位を揃えて表示される）ものとなり、一連のグラフ化作業を更に容易とし、人為的ミスの発生を低減することができるようになる。
【００４６】
なお、上述した実施の形態では、指定されたポイントが複数であり、その複数のポイントの中に同じ種類で異なる単位のポイントがあった場合、単位リストからそのポイントの種類の単位を代表するベース単位を取得し、その取得したベース単位をそのポイントが割り当てられている軸の表示単位とすると共に、ベース単位に換算した計測データをグラフ化して表示するようにしたが、全てのポイントについてそのポイントの種類の単位を代表するベース単位を取得し、その取得したベース単位をそのポイントが割り当てられている軸の表示単位とすると共に、ベース単位に換算した計測データをグラフ化して表示するようにしてもよい。
【００４７】
この場合、例えば図５に示した例では、Ｙ軸左の表示単位がベース単位「Ｗｈ」とされ、ポイントＡおよびＢの計測データがベース単位「Ｗｈ」に換算されて表示されるものとなる。また、図５において、Ｙ軸右の表示単位が「℃」ではなく「゜Ｆ」であった場合（ポイントＣの計測データの単位が「゜Ｆ」であった場合）、このＹ軸右の表示単位がベース単位「℃」とされ、ポイントＣの計測データがベース単位「℃」に換算されて表示されものとなる。
【００４８】
また、上述した実施の形態では、グラフ自動作成装置１００内に記憶部６が設けられているが、この記憶部６は外部の記憶装置に設けられていてもよい。すなわち、グラフ自動作成装置１００と外部の記憶装置とがネットワークを介して接続されており、このネットワークを介して接続された外部の記憶装置からデータを取得するようにしてもよい。この場合、外部の記憶装置を含めた構成が本発明でいうグラフ自動作成装置として定義されるものであり、他にも各ポイントのデータ６３の記憶部を外部に設けたり、表示部５を外部に設けるなど、各種の変形が考えられる。
【００４９】
また、上述した実施の形態では、組み立てられるグラフ構成をＸ軸とＹ軸（左，右）の２軸構成としたが、３軸以上のグラフ構成としてもよい。例えば、温度、電力量、湿度など、種類が異なる３つ以上の単位に関するグラフを同一画面上に表示するようにしてもよい。
【００５０】
また、上述した実施の形態では、ポイントのデータを時系列の計測データとしたが、時系列の計測データに限られるものではない。また、散布図やヒストグラムなど時系列グラフ以外においても、上述と同様にして、自動的に、軸の割り当てやベース単位への換算などを行うようにして、組み立てられたグラフ構成に対して、指定されたポイントのデータをグラフ化して表示するようにしてもよい。
【００５１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５２】
１…単位取得部、２…グラフ構成組立部、３…表示単位決定部、４…計測データ取得部、５…表示部、６…記憶部（メモリ）、６１…ポイントリスト、６２…単位リスト、６３…各ポイントのデータ、１００…グラフ自動作成装置。
【図１】
2018005591.tif 000003
【図２】
2018005591.tif 000004
【図３】
2018005591.tif 000005
【図４】
2018005591.tif 000006
【図５】
2018005591.tif 000007
【図６】
2018005591.tif 000008